(57)【要約】  上部に吸込口、下部に吹出口を有する本体と、本体内に設置されたファンと、本体内に設置された熱交換器と、熱交換器で生じたドレン水を受け止めるドレンパンとを備え、ドレンパンは、熱交換器の下方に配置された熱交換器側ドレンパンと熱交換器側ドレンパンの下方に配置された風路側ドレンパンとを重ねて構成されており、本体は、熱交換器側ドレンパンを風路壁とする第１風路と、風路側ドレンパンを風路壁とする第２風路とを有し、吸込口から吸い込まれたファンからの空気流を、熱交換器を通過後に複数に分流し、分割した各空気流を第１風路と第２風路とに流した後、合流して吹出口から吹き出すように構成され、第１風路と第２風路とのうち、冷房運転時に温度が低い方の空気流が流れる風路側を構成する風路壁が、温度が高い方の空気流が流れる風路に露出しないように構成されている。
2017022131.tif 000002
【特許請求の範囲】
【請求項１】
上部に吸込口、下部に吹出口を有する本体と、
前記本体内に設置されたファンと、
前記本体内に設置された熱交換器と、
前記熱交換器で生じたドレン水を受け止めるドレンパンとを備え、
前記ドレンパンは、前記熱交換器の下方に配置された熱交換器側ドレンパンと前記熱交換器側ドレンパンの下方に配置された風路側ドレンパンとを重ねて構成されており、
前記本体は、前記熱交換器側ドレンパンを風路壁とする第１風路と、前記風路側ドレンパンを風路壁とする第２風路とを有し、前記吸込口から吸い込まれた前記ファンからの空気流を、前記熱交換器を通過後に複数に分流し、分割した各空気流を前記第１風路と前記第２風路とに流した後、合流して前記吹出口から吹き出すように構成され、
前記第１風路と前記第２風路とのうち、冷房運転時に温度が低い方の空気流が流れる風路側を構成する前記風路壁が、温度が高い方の空気流が流れる風路に露出しないように構成されている空気調和機の室内機。
【請求項２】
温度が低い方の空気流に面する前記熱交換器側ドレンパンの風路壁の下端面を、温度が高い方の空気流に面する前記風路側ドレンパンの風路壁で下側から覆うように構成されている請求項１記載の空気調和機の室内機。
【請求項３】
温度が低い方の空気流に面する前記風路側ドレンパンの風路壁の前記第１風路側の端面を、温度が高い方の空気流に面する前記熱交換器側ドレンパンの風路壁で前記第１風路側から覆うように構成されている請求項１記載の空気調和機の室内機。
【請求項４】
前記熱交換器は、４つの分割熱交換器を前記本体の右又は左側方から見てＷ字形状に組み合わせた構成を有し、
前記第１風路は４つの前記分割熱交換器のうち、真ん中の２つの前記分割熱交換器を通過した空気流を真下方向へ向けて流す風路であり、
前記第２風路は最背面側の前記分割熱交換器を通過後の空気流を前記本体の背面側から前方下方に向けて流す風路である請求項１〜請求項３の何れか一項に記載の空気調和機の室内機。
【請求項５】
前記風路側ドレンパンは複数の係止爪を有し、
前記熱交換器側ドレンパンは、前記本体の長手方向に間隔を空けて形成され、前記複数の係止爪が係止される複数の係止穴と、前記係止穴に係止された前記係止爪が前記係止爪の係止方向とは反対方向に押し込まれた際に前記係止爪の移動を規制して前記係止爪が前記係止穴から外れるのを阻止するリブとを有する請求項１〜請求項４の何れか一項に記載の空気調和機の室内機。
【発明の詳細な説明】
【技術分野】
【０００１】
本発明は、空気調和機の室内機に関するもので、詳しくは、室内機の風路における結露抑制構造に関するものである。
【背景技術】
【０００２】
室内壁面に据え付ける壁掛け型の空気調和機では、本体内部に熱交換器を有しており、本体の上方などにある吸込口から室内の空気を吸い込み、熱交換器を通過させることで空気を冷やしたり、暖めたりして、空気の温度を変えるようにしている。そして、温度が変えられた空気は、本体下方などに設けられた吹出口から室内へ吹き出される。この繰り返しにより、室内環境を調整する。【０００３】
このような空気調和機には、クロスフローファンを用いるタイプと、プロペラファンを用いるタイプとがある。クロスフローファンを用いるタイプにおいて、吸込口から吹出口に至る風路の数は、吸込口から流入した空気流が、熱交換器を通過後、一つにまとまって吹出口に至ることから１つである。一方、プロペラファンを用いるタイプにおける風路の数は、吸込口から流入した空気流が熱交換器を通過後の時点で複数に分流され、各空気流が吹出口に向かって流れることから、複数ある（例えば、特許文献１参照）。【０００４】
特許文献１の空気調和機の室内機は、複数の分割熱交換器を逆Ｖ字形状（特許文献１の図９）や、Ｎ字形状（特許文献１の図１０）、Ｍ字形状（特許文献１の図１３）、Ｗ字形状（特許文献１の図１１）などの形状に組み合わせて熱交換器を搭載している。逆Ｖ字形状では風路は１つであるが、Ｎ字形状やＭ字形状では２つ、Ｗ字形状については３つある。そして、室内機上部などから吸い込んだ室内の空気に、多くの分割熱交換器を触れさせることで熱交換の効率を上げていた。
【先行技術文献】
【特許文献】
【０００５】
【特許文献１】特開２０１２−３７０８５号公報
【発明の概要】
【発明が解決しようとする課題】
【０００６】
特許文献１において、複数の分割熱交換器は全て同じ温度にあるわけではないため、各分割熱交換器を通過後の各風路の空気流には温度差が生じる。このため、熱交換器の形状によっては、冷房運転時に風路内に結露が生じ、その結露によるドレン水が、熱交換後の空気流と共に吹出口から室内に落下してしまう恐れがあった。この点について、以下、熱交換器の各形状のそれぞれの場合について説明する。【０００７】
熱交換器が逆Ｖ字形状（特許文献１の図９）の場合は、風路は１つのため、分流がなく、温度差による結露発生はない。【０００８】
熱交換器がＮ字形状（特許文献１の図１０）やＭ字形状（特許文献１の図１３）の場合は、風路は２つで分流が生じる。しかし、２つの風路の真下に大きな開口の吹出口があるため、各空気流は、各空気流間の温度差の影響が出る前に室内（室内機の外）へ吹き出される。このため、結露発生の可能性は低い。【０００９】
熱交換器がＷ字形状（特許文献１の図１１）の場合は、風路は３つで分流が生じる。室内機前方の２つの風路については、Ｎ字形状及びＭ字形状の場合と同様、２つの風路直下に吹出口があるため、結露発生の可能性は低い。しかし、室内機と室外機とを接続するための配管や、ドレン水を排水するためのパイプなどを収納する配管スペースを筐体背面下部に設ける必要がある関係上、室内機後方の３つ目の風路については、風路直下に吹出口が位置しない構成となる。このため、３つ目の風路は、配管スペースを避ける風路となっており、３つ目の風路の空気流は背面側から前方下方へと導かれ、吹出口から室内（室内機の外）へと吹き出されることになる。このため、３つ目の風路において前方下方に向けて流れる空気流と、２つ目の風路において直下方向に流れる空気流とに接点が生じ、この２つの空気流に温度差がある場合に、接点付近に結露が生じる。【００１０】
このように、熱交換器を通過後の各空気流の温度差により風路内に生じた結露は、基本的には回収できないため、熱交換後の空気と共に吹出口から落下してしまう。【００１１】
本発明は、上記のような課題を解決するためになされたもので、熱交換器を通過後の風路が複数ある空気調和機の室内機において、冷房運転時、室内機内部で熱交換器を通過後の各空気流に温度差が生じた場合でも、風路内の結露を防止できる空気調和機の室内機を提供することを目的とする。
【課題を解決するための手段】
【００１２】
本発明に係る空気調和機の室内機は、上部に吸込口、下部に吹出口を有する本体と、本体内に設置されたファンと、本体内に設置された熱交換器と、熱交換器で生じたドレン水を受け止めるドレンパンとを備え、ドレンパンは、熱交換器の下方に配置された熱交換器側ドレンパンと熱交換器側ドレンパンの下方に配置された風路側ドレンパンとを重ねて構成されており、本体は、熱交換器側ドレンパンを風路壁とする第１風路と、風路側ドレンパンを風路壁とする第２風路とを有し、吸込口から吸い込まれたファンからの空気流を、熱交換器を通過後に複数に分流し、分割した各空気流を第１風路と第２風路とに流した後、合流して吹出口から吹き出すように構成され、第１風路と第２風路とのうち、冷房運転時に温度が低い方の空気流が流れる風路側を構成する風路壁が、温度が高い方の空気流が流れる風路に露出しないように構成されているものである。
【発明の効果】
【００１３】
本発明によれば、熱交換器を通過後の風路が複数ある空気調和機の室内機において、冷房運転時、室内機内部で熱交換器を通過後の各空気流に温度差が生じた場合でも、風路内の結露を防止することができる。
【図面の簡単な説明】
【００１４】
【図１】本発明の実施の形態１に係る空気調和機の室内機１００の全体の斜視図である。
【図２】図１の概略縦断面図である。
【図３】図２のドレンパン４０の斜視図である。
【図４】図２のドレンパン４０の分解斜視図である。
【図５】図３のＡ−Ａ断面で切断したドレンパン４０の斜視図と、この斜視図の部分拡大図とを併せて示した図である。
【図６】本発明の実施の形態１に係る空気調和機の室内機１００の風路の説明図である。
【図７】逆Ｖ字形状の熱交換器２００を備えた従来の空気調和機の室内機概略断面図である。
【図８】Ｎ字形状の熱交換器２１０を備えた従来の空気調和機の室内機の概略断面図である。
【図９】Ｍ字形状の熱交換器２２０を備えた従来の空気調和機の室内機の概略断面図である。
【図１０】図６の風路６ｂと風路６ｃとが交差する部分を含むドレンパン周囲の拡大斜視図と、この斜視図の一部を拡大して略式化した図とを併せて示した図である。
【図１１】比較例を示す図で、結露が生じる構造例を示した図である。
【図１２】図６の風路６ｂと風路６ｃとが交差する部分を含むドレンパン周囲を拡大しつつ略式化した図である。
【発明を実施するための形態】
【００１５】
実施の形態１．
図１は、本発明の実施の形態１に係る空気調和機の室内機１００の全体の斜視図である。図２は、図１の概略縦断面図である。なお、本実施の形態１では、図１の手前側を前面側（前側）、奥側を背面側（後側）として説明する。
この室内機１００は、冷媒を循環させる冷凍サイクルを利用することで、室内等の空調対象域に空調空気（後述の熱交換器３０で熱交換された空気）を供給するものである。室内機１００の本体１００ａは、室内壁面に固定される背面ケース１と、背面ケース１の前面にネジで取り付けられた筐体２と、筐体２の前面に開閉及び取り外し可能に取り付けられた前面意匠パネル３とを有している。筐体２の上面には、室内空気を内部に吸い込むための吸込口４が形成され、筐体２の下面には、後述の熱交換器３０で熱交換された空気を室内へ吹き出すための吹出口５が形成されている。
【００１６】
本体１００ａ内には、吸込口４から室内空気を吸い込むためのファン１０と、それを駆動するファンモータ２０と、電気品箱（図示せず）と、ファン１０から吹出口５までの風路６に配設され、冷媒と室内空気との熱交換を行う熱交換器３０とを備えている。
【００１７】
ファン１０は、吸込口４の下流側で且つ熱交換器３０の上流側に配置されており、例えばプロペラファンである軸流ファン又は斜流ファン等で構成されている。
【００１８】
熱交換器３０は、間隔を空けて配置された複数のフィン３１と、複数のフィン３１を貫通し、内部を冷媒が通過する複数の伝熱管３２とを備えている。本実施の形態１では、熱交換器３０は、複数の分割熱交換器３０ａ〜３０ｄを、本体１００ａの右又は左側方から見てＷ字形状に組み合わせた構成を有している。
【００１９】
ファン１０、ファンモータ２０、電気品箱（図示せず）及び熱交換器３０は、背面ケース１に装着されている。
【００２０】
本体１００ａ内には更に、熱交換器３０の表面における結露により生じたドレン水を受け止めて排水するドレンパン４０を備えている。
【００２１】
図３は、図２のドレンパン４０の斜視図である。図４は、図２のドレンパン４０の分解斜視図である。
ドレンパン４０は、ドレン水を受け止めて排水する機能の他、熱交換器３０を通過後の空気流の風路壁としても機能するものである。ドレンパン４０は、熱交換器３０の下方に配置されてドレン水を受け止める熱交換器側ドレンパン４１と、熱交換器側ドレンパン４１の下方に配置される風路側ドレンパン４２とを上下に重ねて構成されている。
【００２２】
熱交換器側ドレンパン４１は、２つの水受け部４１ａ及び水受け部４１ｂと、２つの水受け部４１ａ及び水受け部４１ｂ同士を連結する連結部４１ｃとを有し、これらが一体に形成された構成を有する。水受け部４１ａは、複数の分割熱交換器３０ａ〜３０ｄのうち最前方に配置された分割熱交換器３０ａとその後方に配置された分割熱交換器３０ｂとの下方に位置して、分割熱交換器３０ａ及び分割熱交換器３０ｂで発生したドレン水を受け止めるものである。水受け部４１ｂは、分割熱交換器３０ｂの後方に配置された分割熱交換器３０ｃと分割熱交換器３０ｃの後方に配置された分割熱交換器３０ｄとの下方に位置して、分割熱交換器３０ｃ及び分割熱交換器３０ｄで発生したドレン水を受け止めるものである。
【００２３】
後方側の水受け部４１ｂは図２に示すように前側端部４１ｂａから一旦下方に延出した後、前方に向けて傾斜する風路壁４１ｄを有している。この風路壁４１ｄは、主として分割熱交換器３０ｃを通過した空気流を吹出口５に導く作用を有する。
【００２４】
風路側ドレンパン４２は、図４に示すように、２つの風路部４２ａ及び風路部４２ｂと、２つの風路部４２ａ及び風路部４２ｂ同士を連結する連結部４２ｃとを有し、これらが一体に形成された構成を有する。風路部４２ａは、水受け部４１ａの下方に位置し、風路部４２ｂは水受け部４１ｂの下方に位置している。そして、水受け部４１ａ、４１ｂと風路部４２ａ、４２ｂとの間には断熱層である空間が形成され、この空間には断熱材４３（図２参照）が配置されている。なお、断熱材４３は必須のものではなく、省略可能である。
【００２５】
ドレンパン４０は、以上のように構成された熱交換器側ドレンパン４１と風路側ドレンパン４２とを上下に重ね、互いに係止された状態で背面ケース１に固定されている。この係止部分の構成について次の図５を用いて説明する。
【００２６】
図５は、図３のＡ−Ａ断面で切断したドレンパン４０の斜視図と、この斜視図の部分拡大図とを併せて示した図である。
熱交換器側ドレンパン４１の風路壁４１ｄの下端側には、室内機１００の長手方向に間隔を空けて複数の係止穴４４が設けられている。そして、風路側ドレンパン４２には係止穴４４に係止する係止爪４５が設けられており、係止穴４４と係止爪４５とにより、熱交換器側ドレンパン４１と風路側ドレンパン４２とが互いに係止されている。
【００２７】
ここで、室内機１００の組み立て時にドレンパン４０を持ち運ぶにあたり、係止爪４５が意図せず奥側に押し込まれると、係止爪４５と係止穴４４との係止が外れて風路側ドレンパン４２が熱交換器側ドレンパン４１から脱落してしまう可能性がある。このような不都合を防止するため、熱交換器側ドレンパン４１には、係止爪４５の係止方向とは反対方向の押し込み量を規制して、係止爪４５が係止穴４４から外れるのを阻止するリブ４６が設けられている。
【００２８】
以上のように構成された室内機１００において、ファンモータ２０の回転によりファン１０が回転すると、本体１００ａ上面の吸込口４より室内空気が吸い込まれ、熱交換器３０で冷媒と熱交換して吸い込み空気が冷気又は暖気とされる。そして、その冷気又は暖気が、風路６（図１参照）を通り、上下風向調整板７を備える吹出口５から室内へ吹き出されるようになっている。この時、上下風向調整板７は回動することで、ファン１０によって送られる熱交換された空気の上下方向の風向を調整している。
【００２９】
次に、室内機１００の風路について説明する。
図６は、本発明の実施の形態１に係る空気調和機の室内機１００の風路の説明図である。
本実施の形態１の熱交換器３０は、上述したようにＷ字形状を成しており、熱交換器３０を通過後の空気流の風路は、図６の矢印に示すように、風路６ａ、風路６ｂ及び風路６ｃの３つある。風路６ａは、分割熱交換器３０ａを通過後の空気流を真下方向へ向けて流す風路である。風路６ｂは、分割熱交換器３０ｂ、３０ｃを通過後の空気流を真下方向へ向けて流す風路であり、熱交換器側ドレンパン４１の一部（風路壁４１ｄ）を風路壁としている。風路６ｃは、分割熱交換器３０ｄを通過後の空気流を本体１００ａの背面側から前方下方に向けて流す風路であり、風路側ドレンパン４２を風路壁としている。なお、風路６ｂは本発明に係る第１風路を構成し、風路６ｃは本発明に係る第２風路を構成している。
【００３０】
ここで、比較のため、逆Ｖ字形状、Ｎ字形状及びＭ字形状の熱交換器を備えた従来の空気調和機における風路について図７〜図９を用いて説明する。
【００３１】
図７は、逆Ｖ字形状の熱交換器２００を備えた従来の空気調和機の室内機の概略断面図である。
この空気調和機の場合、逆Ｖ字形状の熱交換器２００を通過後の空気流の風路は風路２０１の１つである。
【００３２】
図８は、Ｎ字形状の熱交換器２１０を備えた従来の空気調和機の室内機の概略断面図である。図９は、Ｍ字形状の熱交換器２２０を備えた従来の空気調和機の室内機の概略断面図である。
図７及び図８の空気調和機の場合、Ｎ字形状の熱交換器２１０及びＭ字形状の熱交換器２２０を通過後の空気流の風路は、風路２１１ａと風路２１１ｂとの２つである。
【００３３】
図７〜図９に示した逆Ｖ字形状、Ｎ字形状、Ｍ字形状の熱交換器の場合は、各風路の真下に大きな開口の吹出口５０があるため、各空気流同士の温度差の影響が出る前に室内（室内機１００の外）へ空気が吹き出されるので、結露発生の可能性は低い。
【００３４】
これに対し、図６に示した本実施の形態１のＷ字形状の熱交換器３０の場合、上述したように風路が３つ形成される。そして、風路６ａの空気は、直下の吹出口５から室内に吹き出される。また、風路６ｂの空気の大半も直下の吹出口５から吹き出される。そして、風路６ｃの空気は、背面側から円弧状に流れて前方下方に導かれ、吹出口５から室内（室内機１００の外）へと吹き出される。風路６ｃにおいてこのような流れとなるのは、室内機１００と室外機とを接続するための配管や、ドレン水の排水のためのパイプなどを収納する配管スペースが筐体背面下部に設けられており、分割熱交換器３０ｄの直下に吹出口５を配置できない配置上の制約があるためである。
【００３５】
このように、３つ目の風路６ｃの空気流は背面側から前方下方に向けて流れ、また、２つ目の風路６ｂの空気流は直下方向に流れることから、２つの空気流は吹出口５に至る手前で接触することになる。このため、２つの空気流に温度差がある場合には、何らかの対策を施さないと、気流接点１１付近に結露が生じる。
【００３６】
ところで、冷房運転時に蒸発器として機能する複数の分割熱交換器３０ａ〜３０ｄのそれぞれを通過した後の各空気流の温度は、各分割熱交換器３０ａ〜３０ｄにおける熱交換量の影響を受けたものとなる。各分割熱交換器３０ａ〜３０ｄにおける熱交換量は、各分割熱交換器における冷媒の状態や、パス（配管パターン）の組み方の違いが関係してくる。それ故、分割熱交換器３０ｂ及び分割熱交換器３０ｃで冷媒と熱交換して風路６ｂを通過する空気流の温度と、分割熱交換器３０ｄで冷媒と熱交換して風路６ｃを通過する空気流の温度との関係は、パスの組み方によって変わってくる。すなわち、風路６ｂを通過する空気流の温度と、風路６ｃを通過する空気流の温度とは、同じ温度の場合もあれば、異なる場合もあり、また、異なる場合においても、風路６ｂを通過する空気流の温度が風路６ｃを通過する空気流の温度よりも高い場合もあれば、逆の場合もある。
【００３７】
このような理由で風路６ｂと風路６ｃとを通過する２つの空気流には温度差が生じるため、本実施の形態１では、以下の構造を採用して結露を防ぐことを可能としている。
【００３８】
ここではまず、風路６ｂを通過する空気流の温度が風路６ｃを通過する空気流の温度よりも高い場合における、結露防止構造について次の図１０を用いて説明する。
【００３９】
なお、図１０と、後述の図１１及び図１２において、「冷風」及び「温風」の表記は、冷房又は暖房の空気を意味するものではなく、例えば０〜２℃程度の温度差において低い方を「冷風」、高い方を「温風」としたものである。
【００４０】
図１０は、図６の風路６ｂと風路６ｃとが交差する部分を含むドレンパン周囲の拡大斜視図と、この斜視図の一部を拡大して略式化した図とを併せて示した図で、風路６ｂに冷風が通過し、風路６ｃに温風が通過する場合の結露抑制構造の説明図である。また、図１１は、比較例を示す図で、結露が生じる構造例を示した図である。なお、図１０の熱交換器３０は、図６に示した熱交換器３０と比較して配管数が異なる上、分割熱交換器３０ａ〜３０ｄの他に補助熱交換器を更に備えた構成を図示しているが、本発明の熱交換器はどちらの構成も含むものである。
【００４１】
熱交換器側ドレンパン４１の風路壁４１ｄは、風路６ｂを通過する冷風にさらされて冷えており、一方、風路壁４１ｄの下方には、風路６ｃを通過する温風が通過している。このため、図１１に示すように、冷風にさらされて冷えている風路壁４１ｄが、温風の通過する風路６ｃに露出していると、冷風と温風との温度差の影響を受けて風路壁４１ｄの風路６ｃへの露出部分、具体的には風路壁４１ｄの下端面４１ｅに結露が生じることになる。
【００４２】
しかし、図１０に示す構造では、風路壁４１ｄの下方に風路側ドレンパン４２が配置され、冷風にさらされて冷えている風路壁４１ｄを風路側ドレンパン４２で下側から覆っており、風路壁４１ｄの下端面４１ｅが風路６ｃに露出しない構成としている。このため、風路壁４１ｄにおける結露を防止できる。また、風路壁４１ｄと風路壁４１ｄの下方に位置する風路側ドレンパン４２との間には断熱材４３が配置されているため、風路側ドレンパン４２が風路６ｂを通過する冷風で冷却されることがない。このため、風路側ドレンパン４２が風路６ｃを通過する温風との温度差により結露することがない。
【００４３】
図１２は、図６の風路６ｂと風路６ｃとが交差する部分を含むドレンパン周囲を拡大しつつ略式化した図で、風路６ｂに温風が通過し、風路６ｃに冷風が通過する場合の結露抑制構造の説明図である。
図１２に示す構造では、風路６ｃの冷風にさらされて冷えている風路側ドレンパン４２は、温風にさらされて暖められている熱交換器側ドレンパン４１を越えて風路６ｂに露出していない。具体的には、温度が低い方の空気流が流れる風路６ｂ側の風路側ドレンパン４２の端面を、温度が高い方の空気流が流れる熱交換器側ドレンパン４１で風路６ｂ側から覆う構成としている。このため、風路６ｂの空気流と風路６ｃの空気流との温度差による結露は生じない。
【００４４】
風路６ｂを通過する空気流の温度と風路６ｃを通過する空気流の温度との関係は、上述したように、分割熱交換器３０ｂ、３０ｃと分割熱交換器３０ｄとにおけるパスの組み方によって変わってくる。このため、熱交換器３０の性能評価を行い、空気流の温度関係を確認した上で、ドレンパン４０において図１０の構造と図１２の構造のどちらを採用するかを決めればよい。
【００４５】
また、機種によっては、例えば６畳用、１０畳用等といった能力帯やその他条件に応じて図１０の構造と図１２の構造とを使い分ける必要がある。このため、熱交換器３０の性能毎に図１０と図１２との両タイプを用意しておくのも良い。
【００４６】
以上説明したように本実施の形態１では、ドレンパン４０が、熱交換器３０の下方に配置されてドレン水を受け止める熱交換器側ドレンパン４１と、熱交換器側ドレンパン４１の下方に配置される風路側ドレンパン４２とで構成されている。そして、熱交換器側ドレンパン４１を風路壁とする風路６ｂと、風路側ドレンパン４２を風路壁とする風路６ｃとを有し、風路６ｂ、６ｃのうち、冷房運転時に温度が低い方の空気流が流れる風路側を構成する風路壁を、温度が高い方の空気流が流れる風路に露出しない構成とした。このため、熱交換器３０を通過後の風路が複数ある空気調和機の室内機１００において、風路内の結露を防止できる。また、結露の恐れがないため、搭載した熱交換器３０の能力を最大限に活かせる熱交換率の高い空気調和機の室内機を得ることができる。
【００４７】
ここで、冷房運転時に温度が低い方の空気流が流れる風路側を構成する風路壁が、温度が高い方の空気流が流れる風路に露出しない構成は、具体的には以下のようにすればよい。すなわち、温度が低い方の空気流が面する熱交換器側ドレンパン４１の風路壁４１ｄの下端面４１ｅ（図１０参照）を、温度が高い方の空気流が面する風路側ドレンパン４２の風路壁で下側から覆うようにすればよい。また、温度が低い方の空気流が面する風路側ドレンパン４２の風路壁の風路６ｂの端面４１ｆ（図１２参照）を、温度が高い方の空気流が面する熱交換器側ドレンパン４１の風路壁４１ｄで風路６ｂ側から覆うように構成すればよい。以上のように構成することで、熱交換器３０がＷ字形状を有する構成において、結露防止を図ることができる。
【００４８】
また、ドレンパン４０を構成する熱交換器側ドレンパン４１と風路側ドレンパン４２とは、熱交換器側ドレンパン４１に設けた複数の係止穴４４と、風路側ドレンパン４２に設けた係止爪４５とが係止することで互いに係止される。そして、熱交換器側ドレンパン４１には、係止爪４５の係止方向とは反対方向の押し込み量を規制して、係止爪４５が係止穴４４から外れるのを阻止するリブ４６を設けたので、ドレンパン４０を持ち運ぶ際に、係止爪４５と係止穴４４との係止が外れて風路側ドレンパン４２が熱交換器側ドレンパン４１から脱落してしまう不都合を防止できる。
【００４９】
なお、本実施の形態１では、熱交換器３０がＷ字形状で、風路が３つの例を示したが、熱交換器３０の形状及び風路の数はこれに限られたものではなく、要するに温度差の異なる２つの空気流が接触する箇所における結露防止構造として本発明を適用できる。
【符号の説明】
【００５０】
１  背面ケース、２  筐体、３  前面意匠パネル、４  吸込口、５  吹出口、６  風路、６ａ  風路、６ｂ  風路、６ｃ  風路、７  上下風向調整板、１０  ファン、１１  気流接点、２０  ファンモータ、３０  熱交換器、３０ａ  分割熱交換器、３０ｂ  分割熱交換器、３０ｃ  分割熱交換器、３０ｄ  分割熱交換器、３１  フィン、３２  伝熱管、４０  ドレンパン、４１  熱交換器側ドレンパン、４１ａ  水受け部、４１ｂ  水受け部、４１ｂａ  前側端部、４１ｃ  連結部、４１ｄ  風路壁、４１ｅ  下端面、４１ｆ  端面、４２  風路側ドレンパン、４２ａ  風路部、４２ｂ  風路部、４２ｃ  連結部、４３  断熱材、４４  係止穴、４５  係止爪、４６  リブ、５０  吹出口、１００  室内機、１００ａ  本体、２００  熱交換器、２０１  風路、２１０  熱交換器、２１１ａ  風路、２１１ｂ  風路、２２０  熱交換器。
【図１】
2017022131.tif 000003
【図２】
2017022131.tif 000004
【図３】
2017022131.tif 000005
【図４】
2017022131.tif 000006
【図５】
2017022131.tif 000007
【図６】
2017022131.tif 000008
【図７】
2017022131.tif 000009
【図８】
2017022131.tif 000010
【図９】
2017022131.tif 000011
【図１０】
2017022131.tif 000012
【図１１】
2017022131.tif 000013
【図１２】
2017022131.tif 000014
【国際調査報告】
2017022131.tif 000015
2017022131.tif 000016
2017022131.tif 000017
2017022131.tif 000018